(57)【要約】      （修正有）【課題】編み丈に段差がある場合でも、編み丈の短い編地に付加する捨て編みの長さを短くすることができる、横編機の編出し装置およびニットウエアの編出し方法を提供する。【解決手段】前後に針床を備えて編地を編成する横編機で、前後の針床間の歯口の下方に設けられ、歯口まで上昇可能な編出し針７，８を備える編出し装置において、針床の編幅方向の少なくとも一部の区間で、編始め部分を形成可能な位置に、交互に配置される二群に分けられた編出し針と、一方の群と他方の群との編出し針に対し、編始め部分の捕捉が可能な状態と、解放が可能な状態とへの切換えを、独立に行うことが可能な切換え機構とを含む。【選択図】図２
2014084538.tif 000002
【特許請求の範囲】
【請求項１】
前後に針床を備えて編地を編成する横編機で、前後の針床間の歯口の下方に設けられ、歯口まで上昇可能な編出し針を備え、前後の針床の編針で歯口に編出し糸が交差するように形成する編始め部分を上昇した編出し針に掛けて捕捉し、編地を編成しながら編出し針を下降させて編始め部分を歯口下方に引下げるとともに、引下げた編始め部分を編出し針から解放することも可能な横編機の編出し装置において、
針床の編幅方向の少なくとも一部の区間で、編始め部分を形成可能な位置に、交互に配置される、二群に分けられた編出し針と、
一方の群と他方の群との編出し針に対し、編始め部分の捕捉が可能な状態と解放が可能な状態とへの切換えを、独立に行うことが可能な切換え機構とを、
含むことを特徴とする横編機の編出し装置。
【請求項２】
前記編出し針は、前記針床の編幅方向の全区間で、前記二群に分けられる、
ことを特徴とする請求項１記載の横編機の編出し装置。
【請求項３】
前記歯口の下方を昇降し、上部には前記二群の編出し針を収容する針溝が上下方向に形成され、かつ編幅方向に並設されている編出しベッドを含み、
前記切換え機構は、編出しベッドの針溝の下方で、編幅方向に延びる二つの昇降バーを有し、
前記編出し針は、
編出しベッドの針溝に装着され、かつ上下方向の案内溝を有する本体と、
本体の案内溝に収容される摺動部を少なくとも有するスライダーとを含み、
本体またはスライダーの一方には、上部に前記編始め部分を掛けることが可能なフックを有し、
本体またはスライダーの他方には、本体に対するスライダーの相対的な上下移動で、フックに掛けた編始め部分を解放することが可能な解放部を上部に有し、
前記一方の群の編出し針および前記他方の群の編出し針は、スライダーの摺動部の下部に設ける係合部で昇降バーの作用を受けて、編出しベッドに対してそれぞれ上下動可能である、
ことを特徴とする請求項１または２記載の横編機の編出し装置。
【請求項４】
編み丈が長い身頃と編み丈が短い袖とを有するニットウエアを、前後の針床間の歯口まで上昇可能な編出し針を備える編出し装置で、前後の針床の編針で歯口に編出し糸が交差するように形成する編始め部分を、上昇した編出し針に掛けて捕捉し、編地を編成しながら編出し針を下降させて編始め部分を歯口下方に引下げるとともに、引下げた編始め部分を編出し針から解放するニットウエアの編出し方法において、
針床の編幅方向に関し、身頃または袖のいずれかを選択的に編成可能な区間を予め設定し、
設定した区間で編始め部分を形成可能な位置に、編出し針を、二群に分けて交互に配置して、他方の群の編出し針からの編始め部分の解放を、一方の群の編出し針からの編始め部分の解放に先行して可能にしておき、
一方の群の編出し針を身頃に、他方の群の編出し針を袖にそれぞれ割当てて、
身頃および袖に対する編始め部分の引下げを同時に行って、
袖の編始め部分の解放を、身頃の編始め部分の解放に先行して行う、
ことを特徴とするニットウエアの編出し方法。
【発明の詳細な説明】
【技術分野】
【０００１】
本発明は、横編機の歯口から編始め部分を引下げる横編機の編出し装置、およびそのような編出し装置を用いるニットウエアの編出し方法に関する。
【背景技術】
【０００２】
従来から、横編機では、編地の編成を開始する際に、前後の針床の編針で針床間の歯口に編出し糸が交差するようにして編始め部分を形成し、形成した交差部を編出し針に掛けて捕捉して歯口下方に引下げる編出し装置が使用されている（たとえば、特許文献１参照）。なお、一般的な編地では、編始め部分に続けて、捨て編みが付加される。
編地の適正な編成には、編幅の全体に引下げ力を作用させる必要があり、編成の初期には編出し装置が使用される。歯口下方には、編地を挟んで引下げるように対をなすローラーも設けられ、編成の途中から、編地の引下げを継続して行う。編地引下げの編出し針からローラーへの移行は、編出し針によって引下げる編地がローラーで引下げ可能な高さまで下降してから行われる。編出し装置は、編出し針を昇降させる機能とともに、編出し針が編始め部分を捕捉して編地を引下げた後、編始め部分を解放する機能も備えている。
【０００３】
横編機では、半袖付きニットウエアを裾側から首側へ編成する場合のように、身頃と身頃よりも短い袖とで段差のある編地をコース方向の異なる区間で編出して、途中で接合するような編成も可能である。特許文献１の編出し装置では、編始め部分を捕捉可能にする状態と、捕捉した編始め部分を解放する状態とを、全部の編出し針で同時に行う必要があるので、編始め部分に続けて付加する捨て編みの長さを短い袖では身頃よりも長くして、編地の長さについての段差を解消させる必要がある。編始め部分の捕捉と解放とを、各編出し針で独立に操作可能な編出し装置も提案されている（たとえば特許文献２参照）。このような装置を使用すれば、編成される編地には適切な引下げ力を作用させながら、袖の編始め部分を解放するタイミングを身頃の編始め部分を解放するタイミングより早めて、捨て編みを減らすことができる。
【先行技術文献】
【特許文献】
【０００４】
【特許文献１】特公平３−７７２９８号公報
【特許文献２】特開平９−２７９４４２号公報
【発明の概要】
【発明が解決しようとする課題】
【０００５】
特許文献１で開示されているような、編出し針での編始め部分の捕捉と解放とを、全部の編出し針で同時に行う編出し装置では、編地の編み丈に段差がある場合に、捨て編みを付加する長さを異ならせて段差を解消させる必要がある。しかしながら、捨て編みの部分は、編成後に編地から分離して除去するので、可能な限り短くすることが望ましい。
【０００６】
特許文献２で開示されているような、編出し針の捕捉と解放の操作を、各編出し針で独立に行うことが可能な編出し装置では、編始め部分に段差がある場合に編始め部分の捕捉は同時に行っても、引下げてから解放するタイミングを異ならせることができる。編み丈の短い方の編地で解放を早めれば、捨て編みを短くすることができる。しかしながら、編出し針の操作をプログラムに従って行うことが可能な実施の形態では、操作手段として、編出し針を開閉操作するカムを搭載して編幅方向に走行するキャリッジを設ける必要があり、編出し装置の構成が複雑になってしまう。針本体とスライダーとで構成される編出し針で、針本体の高さが異なるように手動操作して、共通に上下動するスライダーとの間で、編始め部分を解放するタイミングを異ならせる実施の形態でも、針本体を異なる高さに保つための構成が複雑になってしまう。また、針本体の高さを変更する必要が生じると、手動操作が必要となり、手間がかかる。
【０００７】
本発明の目的は、簡単な構成で、編み丈に段差がある場合でも、編み丈の短い編地に付加する捨て編みの長さを短くすることができる、横編機の編出し装置およびニットウエアの編出し方法を提供することである。
【課題を解決するための手段】
【０００８】
本発明は、前後に針床を備えて編地を編成する横編機で、前後の針床間の歯口の下方に設けられ、歯口まで上昇可能な編出し針を備え、前後の針床の編針で歯口に編出し糸が交差するように形成する編始め部分を上昇した編出し針に掛けて捕捉し、編地を編成しながら編出し針を下降させて編始め部分を歯口下方に引下げるとともに、引下げた編始め部分を編出し針から解放することも可能な横編機の編出し装置において、
針床の編幅方向の少なくとも一部の区間で、編始め部分を形成可能な位置に、交互に配置される、二群に分けられた編出し針と、
一方の群と他方の群との編出し針に対し、編始め部分の捕捉が可能な状態と解放が可能な状態とへの切換えを、独立に行うことが可能な切換え機構とを、
含むことを特徴とする横編機の編出し装置である。
【０００９】
また本発明で、前記編出し針は、前記針床の編幅方向の全区間で、前記二群に分けられる、
ことを特徴とする。
【００１０】
また本発明は、前記歯口の下方を昇降し、上部には前記二群の編出し針を収容する針溝が上下方向に形成され、かつ編幅方向に並設されている編出しベッドを含み、
前記切換え機構は、編出しベッドの針溝の下方で、編幅方向に延びる二つの昇降バーを有し、
前記編出し針は、
編出しベッドの針溝に装着され、かつ上下方向の案内溝を有する本体と、
本体の案内溝に収容される摺動部を少なくとも有するスライダーとを含み、
本体またはスライダーの一方には、上部に前記編始め部分を掛けることが可能なフックを有し、
本体またはスライダーの他方には、本体に対するスライダーの相対的な上下移動で、フックに掛けた編始め部分を解放することが可能な解放部を上部に有し、
前記一方の群の編出し針および前記他方の編出し針は、スライダーの摺動部の下部に設ける係合部で昇降バーの作用を受けて、編出しベッドに対してそれぞれ上下動可能である、
ことを特徴とする。
【００１１】
さらに本発明は、編み丈が長い身頃と編み丈が短い袖とを有するニットウエアを、前後に針床間の歯口まで上昇可能な編出し針を備える編出し装置で、前後の針床の編針で歯口に編出し糸が交差するように形成する編始め部分を、上昇した編出し針に掛けて捕捉し、編地を編成しながら編出し針を下降させて編始め部分を歯口下方に引下げるとともに、引下げた編始め部分を編出し針から解放するニットウエアの編出し方法において、
針床の編幅方向に関し、身頃または袖のいずれかを選択的に編成可能な区間を予め設定し、
設定した区間で編始め部分を形成可能な位置に、編出し針を、二群に分けて交互に配置して、他方の群の編出し針からの編始め部分の解放を、一方の群の編出し針からの編始め部分の解放に先行して可能にしておき、
一方の群の編出し針を身頃に、他方の群の編出し針を袖にそれぞれ割当てて、
身頃および袖に対する編始め部分の引下げを同時に行って、
袖の編始め部分の解放を、身頃の編始め部分の解放に先行して行う、
ことを特徴とするニットウエアの編出し方法である。
【発明の効果】
【００１２】
本発明によれば、編み丈の違いで編始め部分に段差がある編地でも、二群に分けた編出し針の一方で編み丈の長い編地の編始め部分、他方で編み丈の短い編地の編始め部分にそれぞれ掛けて、同時に捕捉する。編み丈の短い編地には、編み丈の長い編地よりも長い捨て編みを付加し、捨て編みおよび編地を編成しながら引下げる。両方を引下げた後で、編み丈の短い編地が、編地引下げローラーなどが引下げ可能な位置まで引下げられていれば、編み丈の短い編地の編始め部分を、編み丈の長い編地の編始め部分よりも先行して解放することができる。編み丈の短い編地の編始め部分を編み丈の長い編地の編み始め部分よりも先行して解放することができるので、編み丈の短い編地に付加する捨て編みの長さを、両方の編始め部分を同時に解放する場合よりも短くすることができる。
【００１３】
また本発明によれば、編幅の全区間に二群に分けた編出し針を配置するので、編み丈が異なって段差がある多様な種類の編地を、針床の全幅を自由に使用して編出すことができる。
【００１４】
また本発明によれば、編出し針を、スライダーに作用する昇降バーの違いで二群に分けることができる。編出し針は、本体とスライダーとの上端に、フックと解放部とを設け、本体に対するスライダーの相対的な上下動で、編始め部分の捕捉と解放とを切換えることができる。
【００１５】
さらに本発明によれば、編み丈の長い身頃と、編み丈の短い袖とを有するニットウエアを、身頃と袖とに分けて、二群に分けた編出し針で同時に編始め部分を引下げ、袖の編始め部分を身頃の編始め部分に先行して解放することができる。袖の編始め部分と編地との間に付加する捨て編みの長さは、短くすることができる。
【図面の簡単な説明】
【００１６】
【図１】図１は、本発明の一実施例の基本的な考え方を示す図である。
【図２】図２は、図１に示す編出し針８に関する構成を示す、部分的な正面図、および右側面断面図である。
【図３】図３は、図１の編出し針７，８の構成を示す右側面図である。
【図４】図４は、図１の編出し針７，８を備える編出し装置５０の構成を簡略化して示す正面図である。
【図５】図５は、図４の編出し装置５０を備える横編機６０の構成を簡略化して示す右側面断図である。
【発明を実施するための形態】
【００１７】
以下、図１〜図５で本発明の一実施例について説明する。図１〜図５には対応関係があるけれども、対応する部分の全部を示さずに、図によっては省略している場合がある。同一の図に、複数の方向から見た状態が示される図でも、各方向から見た図の全部に対応する部分を示さずに、一部の図では省略する場合がある。また、各図の説明では、当該図面には存在せずに先に説明する図には存在する符号を用いて説明する場合がある。
【実施例】
【００１８】
図１は、本発明の一実施例の基本的な考え方を示す。本実施例では、図１（ａ）に示すニットウエア１と、図１（ｃ）に示すニットウエア１１とで、編幅が異なっても、同一の構成で編出しを行うことができる。ニットウエア１，１１は、両側の袖１ａ，１ｂ；１１ａ，１１ｂと、中間の身頃１ｃ，１１ｃとを同時に引下げる。袖１ａ，１ｂ；１１ａ，１１ｂは半袖であり、身頃１ｃ，１１ｃに比較して編み丈が短い。編み丈が短い袖１ａ，１ｂ；１１ａ，１１ｂ編み丈が長い身頃１ｃ，１１ｃとには、捨て編み３ａ，３ｂ；１３ａ，１３ｂと捨て編み３ｃ；１３ｃとをそれぞれ付加する。ただし、袖１ａ，１ｂ；１１ａ，１１ｂに付加する捨て編み３ａ，３ｂ；１３ａ，１３ｂを、身頃１ｃ，１１ｃに付加する捨て編み３ｃ，１３ｃよりも長くして、編み丈の短さを補う。なお、編始め部分２ａ，２ｂ，２ｃ；１２ａ，１２ｂ，１２ｃおよび捨て編み３ａ，３ｂ，３ｃ；１３ａ，１３ｂ，１３ｃを総称する場合は、符号２，１２；３，１３をそれぞれ用いる。
【００１９】
図１（ｂ）および図１（ｄ）は、編始め部分２ａ，２ｂ，２ｃ；１２ａ，１２ｂ，１２ｃの形成と、使用する編出し針７，８との関係について示す。編始め部分２ａ，２ｂ，２ｃ；１２ａ，１２ｂ，１２ｃの形成は、基本的に、特許文献１の第１５図と同様に、１×３の針抜きリブ組織で、前針床Ｆの編針５と後針床Ｂの編針６との間の歯口４で編出し糸９を交差させて行う。このような編出しでは、前後の針床Ｆ，Ｂでの１つおきに使用する編針５，６に対し、編出し糸９が交差する位置は、使用しない編針５，６に対応する位置となる。
【００２０】
本実施例では、歯口４の全幅で、編出し糸９の交差が可能な位置に、二群に分けた編出し針７，８を交互に配置しておくので、編針５，６の配列ピッチと交差が可能な位置の配列ピッチとは対応している。したがって、前後の針床Ｆ，Ｂの編針５，６を、たとえば奇数番目と偶数番目とで使い分ければ、編出し針７，８をそれぞれ選択することができる。図１（ｂ）（ｄ）のように、全部の編始め部分２ａ，２ｂ，２ｃ；１２ａ，１２ｂ，１２ｃを同一の編出し糸９で続けて形成することができるけれども、編出し糸を各袖１ａ，１ｂ；１１ａ，１１ｂと身頃１ｃ，１１ｃで分けることもできる。
【００２１】
ニットウエア１，１１で、袖１ａ，１ｂ；１１ａ，１１ｂと身頃１ｃ，１１ｃで編幅が異なっても、編始め部分２ａ，２ｂ，２ｃ；１２ａ，１２ｂ，１２ｃをそれぞれ編幅に対応して区間設定する。各区間では編出し針７，８が交互に隣接するように配置されているので、編出し針７，８を身頃１ｃ、１１ｃと袖１ａ，１ｂ；１１ａ，１１ｂとにそれぞれ割当てて、一方の群の編出し針７と他方の群の編出し針８とで編出すことができる。
【００２２】
なお、たとえばニットウエア１，１１や他のサイズのニットウエアなど、ニットウエアを専用に編成する場合、針床Ｆ，Ｂの編幅の中央にはいずれのニットウエアに対しても身頃のみを編成する区間があり、編幅の両側では袖のみを編成するか、何も編成しない区間があり、両方の区間の中間ではいずれも編成すると想定される。このような場合、編幅の両側の区間には編出し針８のみを配置し、中央の区間には編出し針７のみを配置し、両方の区間の中間に、二群に分けた編出し針７，８を交互に配置すれば、ニットウエアに応じて、編出し針７，８を使い分けるようにすることもできる。
【００２３】
図２は、図１に示す編出し針８に関する構成を示す。図２（ａ）に示すように、編出し針８は、編出しベッド２０の上部に、編出し針７と交互に並設されている。図２（ｂ）は、図２（ａ）の切断面線Ｂ−Ｂから見た断面構成を示し、編出しベッド２０の上部には、編出し針７，８を収容する針溝２０ａが上下方向に設けられている。編出し針７，８は、針溝２０ａの下方で二段に配置される昇降バー２１，２２でそれぞれ、編始め部分２，１２を捕捉する状態と、捕捉を解除する状態とが切換えられる。針溝２０ｂの上部には、編出し針７，８が針溝２０ａから抜出さないように押える、帯金２３，２４がそれぞれ設けられる。昇降バー２１，２２に対しては、カバー２５，２６でそれぞれ押え、上下方向の移動を許容して、前後方向の移動を抑制している。なお、図２（ａ）では、カバー２５，２６の図示を省略している。
【００２４】
図２（ｂ）とともに図３も参照して、編出し針７，８は、本体３０と、スライダー３１，３２とを組合せて形成される。本体３０は、編出しベッド２０の針溝２０ａに装着され、上端に解放部３０ａを有し、かつ上下方向の案内溝３０ｂを有する。スライダー３１，３２は、編始め部分２，１２を掛けることが可能なフック３１ａ，３２ａを上端に有する。フック３１ａ，３２ａは、解放部３０ａに収容可能である。解放部３０ａには傾斜面が設けられている。フック３１ａ，３２ａに編始め部分２，１２が掛けられていても、フック３１ａ，３２ａが解放部３０ａに収容されると、解放部３０ａの傾斜面に沿って編始め部分２，１２がフック３１ａ，３２ａから離脱して解放される。スライダー３１，３２は、本体３０の案内溝３０ｂに収容される摺動部３１ｂ，３２ｂを有する。摺動部３１ｂ，３２ｂの案内溝３０ｂに対する相対的な上下移動で、フック３１ａ，３２ａに編始め部分２，１２を掛けて捕捉することが可能であり、掛けた編始め部分２，１２を解放することが可能である。このような編出し針７，８は、基本的に特許文献１の編み出し針と同等である。ただし、解放部３０ａは、特許文献１のフック格納用突起に相当する。なお、図３で、スライダー３２で摺動部３２ｂの上部とフック３１ａとは、図示を省略している。
【００２５】
一方の群の編出し針７は、スライダー３１の摺動部３１ｂの下部の係合部３１ｃで上段の昇降バー２１の溝２１ａに係合して作用を受け、編出しベッド２０に対して上下動可能である。他方の群の編出し針８は、スライダー３２の摺動部３２ｂの下部から、上段の昇降バー２１の作用を受けずに下段の昇降バー２２の作用を受けるように延長される延長部３２ｄを有して、延長部３２ｄの下部の係合部３２ｃで昇降バー２２の溝２２ａに係合し、編出しベッド２０に対して上下動可能である。昇降バー２１，２２の上下動は、図示を省略しているカム機構によって行う。昇降バー２１，２２とカム機構との間には、昇降部材４１，４２とカムホロワ４３，４４などが設けられる。
【００２６】
なお、本実施例では解放部３０ａを本体３０に、フック３１ａ，３２ａをスライダー３１，３２にそれぞれ設けているけれども、解放部をスライダーに、フックを本体に設けるようにしてもよい。また、編出し針は、たとえば特許第２５３７４４０号公報に開示されているような捕捉素子と覆い板片との組合せでもよい。さらに、昇降バー２１，２２は、上下二段ではなく、編出しベッド２０の表裏に分けて配置することもできる。また、フック３１ａ，３２ａは、編出し糸９の交差部分を、針床Ｆ，Ｂの前後方向に掛けて捕捉するけれども、向きを変えて編幅方向に掛けて捕捉するようにしてもよい。
【００２７】
図４は、図１の編出し針７，８を備える編出し装置５０の構成を簡略化して示す。図１の針床Ｆ，Ｂの両側方下部に、上下方向の昇降ガイド５１，５２が設けられ、摺動部材５３，５４がそれぞれ上下方向に摺動可能な状態で支持されている。摺動部材５３，５４間で、編出しベッド２０が支持される。編出しベッド２０に、昇降バー２１，２２を介して、編出し針７，８のスライダー３１，３２をそれぞれ昇降駆動する駆動機構５５，５６が設けられている。昇降バー２１，２２および駆動機構５５，５６の組合せで、編出し針７，８による編始め部分２，１２の捕捉と解放との切換えが行われるので、この組合せは切換え機構として機能する。駆動機構５５，５６には、カム機構の一部として、図３に示す降部材４１，４２とカムホロワ４３，４４などが含まれている。なお、駆動機構５５，５６では、カム機構ばかりではなく、リンク機構や、ラックピニオン機構などを利用することもできる。
【００２８】
図５は、図４の編出し装置５０を備える横編機６０の構成を簡略化して示す。横編機６０は、前後に針床Ｆ，Ｂを備えて編地を編成する。編出し装置５０は、前後の針床Ｆ，Ｂ間の歯口４の下方に設けられ、歯口４に編出し糸９が交差するように形成する編始め部分２，１２を編出し針７，８に掛けて捕捉し、編地の編成の進行とともに、歯口４下方に引下げる。編出し装置５０は、引下げた編始め部分２，１２を編出し針７，８から解放することも可能である。編出し装置５０の摺動部材５３，５４は、昇降機構５７によって上下動する。昇降機構５７は、駆動機構５８によって駆動されるベルト５９で上下に移動する。
【００２９】
横編機６０の歯口４の下方には、編成された編地を引下げるメインローラー６１，６２とサブローラー６３，６４とが設けられる。このような構成は、特許文献２に開示されている。編出し装置５０で編出し針７，８をサブローラー６３，６４よりも上昇させている間、メインローラー６１，６２間およびサブローラー６３，６４間は開いている。編出し針７，８がサブローラー６３，６４よりも下降すれば、サブローラー６３，６４間を閉じることができる。編出し針７，８がメインローラー６１，８２より下降すれば、メインローラー６１，６２間を閉じることができる。閉じている状態で、メインローラー６１，６２やサブローラー６３，６４を回転させると、間に挟まれた編地を引下げることができる。
【００３０】
前述のように、図１（ａ）および図１（ｃ）に示すような、編み丈が長い身頃１ｃ，１１ｃと編み丈が短い袖１ａ，１ｂ；１１ａ，１１ｂとを有するニットウエア１，１１を二群に分けた編出し針７，８で編出した場合、編成の進行で、編出し針７，８がサブローラー６３，６４よりも下降すると、編出し針８で捕捉している編始め部分２ａ，２ｂ；１２ａ，１２ｂｃ，１２ｃを解放することができる。袖１ａ，１ｂ；１１ａ，１１ｂには、編出し針８から引下げ力を作用させなくても、編成に支障が生じることはない。身頃１ｃ，１１ｃの編成を続けて、編出し針７，８がメインローラー６１，６２よりも下降すると、メインローラー６１，６２およびサブローラー６３，６４間を閉じる。袖１ａ，１ｂ；１１ａ，１１ｂは、少なくともサブローラー６３，６３間で挟まれて引下げられるので、身頃１ｃ，１１ｃと接合する編成処理に必要な引下げ力を作用させることができる。
【００３１】
特許文献１の編出し装置を使用する場合、袖１ａ，１ｂ；１１ａ，１１ｂのおよび身頃１ｃ，１１ｃの編始め部分２ａ，２ｂ；１２ａ，１２ｂｃ，１２ｃを、編出し針がメインローラー６３，６４よりも下降してから解放する。捨て編み３ａ，３ｂの長さは、このような場合に必要な長さに比較して、本実施例では短くすることができる。
【符号の説明】
【００３２】
１，１１  ニットウエア
１ａ，１ｂ；１１ａ，１１ｂ  袖
１ｃ，１１ｃ  身頃
２，２ａ，２ｂ，２ｃ；１２，１２ａ，１２ｂ，１２ｃ  編始め部分
３，３ａ，３ｂ，３ｃ；１３，１３ａ，１３ｂ，１３ｃ  捨て編み
４  歯口
７，８  編出し針
９  編出し糸
２０  編出しベッド
２０ｂ  針溝
２１，２２  昇降バー
３０  本体
３０ａ  解放部
３０ｂ  案内溝
３１，３２  スライダー
３１ａ，３２ａ  フック
３１ａ，３２ａ  摺動部
３２ｄ  延長部
５０  編出し装置
６０  横編機
６１，６２  メインローラー
６３，６４  サブローラー
【図１】
2014084538.tif 000003
【図２】
2014084538.tif 000004
【図３】
2014084538.tif 000005
【図４】
2014084538.tif 000006
【図５】
2014084538.tif 000007